(57)【要約】【課題】顔認証機能が起動するタイミングが周知されないようにし、且つ、認証が成功した後携帯端末装置の放置による別の人物の操作を不可能にする。【解決手段】カメラ121で自画像を撮影し顔認証を行う顔認証装置に、カメラで予め撮影した顔認証用画像データを格納するメモリ116と、顔認証を繰り返し行うための一定時間が設定されるタイマ125と、セキュリティの対象となる機能を選択した際にカメラで撮影される自画像の表示を禁止しタイマをスタートしカメラで自画像を撮影した顔認証時撮影画像とメモリに格納された顔認証画像データを照合し一致する場合にセキュリティの対象となる機能を起動しタイマが一定時間経過した場合カメラで自画像を再撮影した顔認証時撮影画像とメモリに格納された顔認証画像データを再照合し一致する場合にセキュリティの対象となる機能の起動を継続するという動作を繰り返す顔認証制御部120Aとを備える。【選択図】図１
2009223651.tif 000002
【特許請求の範囲】
【請求項１】
カメラで自画像を撮影し顔認証を行う顔認証装置において、
前記カメラで予め撮影した顔認証用画像データを格納するメモリと、
顔認証を繰り返し行うための一定時間が設定されるタイマと、
セキュリティの対象となる機能を選択した際にカメラで撮影される自画像の表示を禁止し、前記タイマをスタートし、カメラで自画像を撮影した顔認証時撮影画像と前記メモリに格納された顔認証画像データを照合し、一致する場合にセキュリティの対象となる機能を起動し、前記タイマが一定時間経過した場合にカメラで自画像を再撮影した顔認証時撮影画像と前記メモリに格納された顔認証画像データを再照合し一致する場合にセキュリティの対象となる機能の起動を継続するという動作を繰り返す顔認証制御部とを備えることを特徴とする顔認証装置。
【請求項２】
前記顔認証制御部は、顔認証の判断を行う顔認証エンジンの起動時に顔認証機能の画面遷移の表示を禁止することを特徴とする、請求項１に記載の顔認証装置。
【請求項３】
前記顔認証制御部は、セキュリティの対象となる機能の起動後の顔認証時撮影画像と前記メモリに格納された顔認証画像データの最初照合時、再照合時に不一致がある場合にはセキュリティの対象となる機能を終了することを特徴とする、請求項１に記載の顔認証装置。
【請求項４】
前記顔認証制御部は、セキュリティの対象となる機能の終了により、顔認証時撮影画像と前記メモリに格納された顔認証画像データの照合を終了させることを特徴とする、請求項１に記載の顔認証装置。
【請求項５】
前記メモリは、前記カメラで予め撮影した顔認証用画像データとして動画を格納し、前記顔認証制御部は、前記メモリに格納された動画とカメラで顔認証時撮影画像として撮影された動画との認証を行うことを特徴とする、請求項１に記載の顔認証装置。
【請求項６】
前記タイマに設定される一定時間を任意に設定可能とすることを特徴とする、請求項１に記載の顔認証装置。
【請求項７】
カメラで自画像を撮影し顔認証を行う顔認証方法において、
カメラで予め撮影した顔認証用画像データを格納する工程と、
セキュリティの対象となる機能を選択した際にカメラで撮影される自画像の表示を禁止し、タイマをスタートする工程と、
カメラで自画像を撮影した顔認証時撮影画像と格納された顔認証画像データを照合し、一致する場合にセキュリティの対象となる機能を起動する工程と、
機能の起動後に、タイマが一定時間経過した場合にカメラで自画像を再撮影した顔認証時撮影画像と前記メモリに格納された顔認証画像データを再照合し一致する場合にセキュリティの対象となる機能の起動を継続するという動作を繰り返す工程とを備えることを特徴とする顔認証方法。
【請求項８】
カメラで自画像を撮影し顔認証を行う顔認証プログラムにおいて、
カメラで予め撮影した顔認証用画像データを格納する手順と、
セキュリティの対象となる機能を選択した際にカメラで撮影される自画像の表示を禁止し、タイマをスタートする手順と、
カメラで自画像を撮影した顔認証時撮影画像と格納された顔認証画像データを照合し、一致する場合にセキュリティの対象となる機能を起動する手順と、
機能の起動後に、タイマが一定時間経過した場合にカメラで自画像を再撮影した顔認証時撮影画像と前記メモリに格納された顔認証画像データを再照合し一致する場合にセキュリティの対象となる機能の起動を継続するという動作を繰り返す手順とを備えることを特徴とする顔認証方法。
【請求項９】
カメラで自画像を撮影し顔認証を行う携帯端末装置において、
前記カメラで予め撮影した顔認証用画像データを格納するメモリと、
顔認証を繰り返し行うための一定時間が設定されるタイマと、
セキュリティの対象となる機能を選択した際にカメラで撮影される自画像の表示を禁止し、前記タイマをスタートし、カメラで自画像を撮影した顔認証時撮影画像と前記メモリに格納された顔認証画像データを照合し、一致する場合にセキュリティの対象となる機能を起動し、前記タイマが一定時間経過した場合にカメラで自画像を再撮影した顔認証時撮影画像と前記メモリに格納された顔認証画像データを再照合し一致する場合にセキュリティの対象となる機能の起動を継続するという動作を繰り返す顔認証制御部とを備えることを特徴とする携帯端末装置。
【発明の詳細な説明】
【技術分野】
【０００１】
本発明はカメラを起動して使用者の顔認証を行う顔認証装置に関する。特に、本発明は、顔認証機能が起動するタイミングが周知されないようにし、且つ、認証が成功した後携帯端末装置の放置による別の人物の操作を不可能にする顔認証装置、方法、プログラム及び携帯端末装置に関する。
【背景技術】
【０００２】
携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔｓ：個人向け携帯型情報通信機器）等の携帯端末装置の多くは、カメラを具備しており、個人情報や、金銭的役割までも果たす携帯端末装置が多く使用されている。
【０００３】
ところが、携帯端末装置の顔認証セキュリティは使用者に対し顔認証手順をディスプレイ上で表示し、どのタイミングで顔認証が起動するかを通知してしまうことや、一旦セキュリティを通過してしまえば、使用者を第三者に変更しても自由に使用できることなど、そのセキュリティ構造の安易さに問題があった。
換言すれば、昨今、携帯端末装置は個人情報をはじめとし、電子マネー機能など、所有者にとってより重要な機能を持ちつつあり、セキュリティのための所有者の個人認証の重要性が高まってきている。
【０００４】
しかし、現状搭載されている顔認証機能においては、携帯電話の顔認証アプリケーションが携帯端末装置上で表タスクとして起動し、ユーザの認証を行うため、顔認証機能の画面遷移の煩わしさがあることと、顔認証機能が起動するタイミングが周知されてしまうことにより対応策を講じやすいという点でセキュリティとしての安全性が低い。
また、従来の認証方式では、認証が成功した後携帯端末装置を放置したり、別の人物が操作することが可能であるため、認証成功後のセキュリティに問題があった。
【０００５】
このような顔認証に関連する従来技術には以下の特許文献に記載のものがある。
携帯電話機の所有者がネットワークを通じて携帯電話から操作者の画像を取得することにより、誰がその携帯電話機を使用しているのか確認するため、携帯電話機に設置された前面カメラにより、キー操作者を撮影することができ、所有者の画像を登録しておき、撮影された画像が所有者の画像と類似していないと判断した場合、その画像を記憶し、ネットワークを通じて携帯電話機からその画像データを所定の送信先に送信することにより、所有者が携帯電話機を紛失した場合、誰がその携帯電話機を使用しているのか簡単に確認することができ、盗難されているかどうかもわかるものがある（例えば、特許文献１参照）が、顔認証機能が起動するタイミングが周知されないようにし、認証が成功した後携帯端末装置の放置による別の人物の操作を不可能にするものではない。
【０００６】
さらに、顔による本人かどうかの認証を用いることによって、暗証番号の入力を行う必要をなくして操作性向上させた携帯電話機の提供を行うため、本人以外の人物が使用しようとしてもこの認証が得られないため、携帯電話機のセキュリティが向上することのできる方法の提供を行うため、使用制限機能付携帯電話機の使用状況が変わったことを検出して当該携帯電話機の現使用者の認証機能を起動させるものもある（例えば、特許文献２参照）が、顔認証機能が起動するタイミングが周知されないようにし、認証が成功した後携帯端末装置の放置による別の人物の操作を不可能にするものではない。
【０００７】
さらに、成りすましに対するセキュリティの信頼性を向上させると共に、消費電力を抑制することができる被写体認証装置、携帯電話、被写体認証方法、及び被写体認証プログラムを提供するため、撮影手段により被写体を撮影した撮影画像に基づいて被写体を認証する認証処理を行う被写体認証装置の制御手段を、前記認証処理により適合であると判定した後も認証処理を反復して実行する認証反復処理と、前記認証処理の反復を停止する反復停止指示を入力手段により受け付ける反復停止指示受付処理と、受け付けた反復停止指示を予め登録された正規指示と比較して真偽判定する真偽判定処理と、該真偽判定処理の判定結果が真であった場合に前記認証反復処理を停止する反復停止処理とを実行する構成としたものがある（例えば、特許文献３参照）が、顔認証機能が起動するタイミングが周知されないようにし、認証が成功した後携帯端末装置の放置による別の人物の操作を不可能にするものではない。
【０００８】
さらに、暗証番号の入力等の煩雑な作業を行うことなく、電子機器を操作する使用者が意識しない状態で使用者を識別して使用可能な機能を制御することができる電子機器を提供するため、電子機器（携帯電話機）は、使用者の顔を撮影可能な部位に設けられた撮像手段と、使用者の顔認識に使用される顔認識基準データを記憶する顔認識基準データ記憶手段と、複数の機能の制御に用いる機能制御情報を記憶する制御情報記憶手段と、電子機器の操作を検知する操作検知手段と、制御手段とを備え、制御手段は、電子機器の操作が検知されたときに、電子機器の使用者の顔を撮影し、その顔の画像データと顔認識基準データとの比較結果に基づいて使用者を識別し、その識別結果と機能制御情報とに基づいて使用者が使用可能な機能を制御するものもある（例えば、特許文献４参照）が、顔認証機能が起動するタイミングが周知されないようにし、認証が成功した後携帯端末装置の放置による別の人物の操作を不可能にするものではない。
【０００９】
【特許文献１】特開２００５−２２３８３４号公報
【特許文献２】特開２００５−２４４５８９号公報
【特許文献３】特開２００６−２５９９２２号公報
【特許文献４】特開２００７−０６７７８２号公報
【発明の開示】
【発明が解決しようとする課題】
【００１０】
したがって、本発明は上記問題点に鑑みて、顔認証機能が起動するタイミングが周知されないようにし、認証が成功した後携帯端末装置の放置による別の人物の操作を不可能にする顔認証装置、方法、プログラム及び携帯端末装置を提供することを目的とする。
【課題を解決するための手段】
【００１１】
本発明は前記問題点を解決するために、カメラで自画像を撮影し顔認証を行う顔認証装置において、前記カメラで予め撮影した顔認証用画像データを格納するメモリと、顔認証を繰り返し行うための一定時間が設定されるタイマと、セキュリティの対象となる機能を選択した際にカメラで撮影される自画像の表示を禁止し、前記タイマをスタートし、カメラで自画像を撮影した顔認証時撮影画像と前記メモリに格納された顔認証画像データを照合し、一致する場合にセキュリティの対象となる機能を起動し、前記タイマが一定時間経過した場合にカメラで自画像を再撮影した顔認証時撮影画像と前記メモリに格納された顔認証画像データを再照合し一致する場合にセキュリティの対象となる機能の起動を継続するという動作を繰り返す顔認証制御部とを備えることを特徴とする顔認証装置を提供する。
【００１２】
さらに、前記顔認証制御部は、顔認証の判断を行う顔認証エンジンの起動時に顔認証機能の画面遷移の表示を禁止する。
さらに、前記顔認証制御部は、セキュリティの対象となる機能の起動後の顔認証時撮影画像と前記メモリに格納された顔認証画像データの最初照合時、再照合時に不一致がある場合にはセキュリティの対象となる機能を終了する。
【００１３】
さらに、前記顔認証制御部は、セキュリティの対象となる機能の終了により、顔認証時撮影画像と前記メモリに格納された顔認証画像データの照合を終了させる。
さらに、前記メモリは、前記カメラで予め撮影した顔認証用画像データとして動画を格納し、前記顔認証制御部は、前記メモリに格納された動画とカメラで顔認証時撮影画像として撮影された動画との認証を行う。
【００１４】
さらに、前記タイマに設定される一定時間を任意に設定可能とする。
さらに、本発明は、カメラで自画像を撮影し顔認証を行う顔認証方法において、カメラで予め撮影した顔認証用画像データを格納する工程と、セキュリティの対象となる機能を選択した際にカメラで撮影される自画像の表示を禁止し、タイマをスタートする工程と、カメラで自画像を撮影した顔認証時撮影画像と格納された顔認証画像データを照合し、一致する場合にセキュリティの対象となる機能を起動する工程と、機能の起動後に、タイマが一定時間経過した場合にカメラで自画像を再撮影した顔認証時撮影画像と前記メモリに格納された顔認証画像データを再照合し一致する場合にセキュリティの対象となる機能の起動を継続するという動作を繰り返す工程とを備えることを特徴とする顔認証方法を提供する。
【００１５】
さらに、本発明は、カメラで自画像を撮影し顔認証を行う顔認証プログラムにおいて、カメラで予め撮影した顔認証用画像データを格納する手順と、セキュリティの対象となる機能を選択した際にカメラで撮影される自画像の表示を禁止し、タイマをスタートする手順と、カメラで自画像を撮影した顔認証時撮影画像と格納された顔認証画像データを照合し、一致する場合にセキュリティの対象となる機能を起動する手順と、機能の起動後に、タイマが一定時間経過した場合にカメラで自画像を再撮影した顔認証時撮影画像と前記メモリに格納された顔認証画像データを再照合し一致する場合にセキュリティの対象となる機能の起動を継続するという動作を繰り返す手順とを備えることを特徴とする顔認証プログラムを提供する。
【００１６】
さらに、本発明は、カメラで自画像を撮影し顔認証を行う携帯端末装置において、前記カメラで予め撮影した顔認証用画像データを格納するメモリと、顔認証を繰り返し行うための一定時間が設定されるタイマと、セキュリティの対象となる機能を選択した際にカメラで撮影される自画像の表示を禁止し、前記タイマをスタートし、カメラで自画像を撮影した顔認証時撮影画像と前記メモリに格納された顔認証画像データを照合し、一致する場合にセキュリティの対象となる機能を起動し、前記タイマが一定時間経過した場合にカメラで自画像を再撮影した顔認証時撮影画像と前記メモリに格納された顔認証画像データを再照合し一致する場合にセキュリティの対象となる機能の起動を継続するという動作を繰り返す顔認証制御部とを備えることを特徴とする携帯端末装置を提供する。
【発明の効果】
【００１７】
以上説明したように、本発明によれば、カメラで予め撮影した顔認証用画像データを格納する手順と、セキュリティの対象となる機能を選択した際にカメラで撮影される自画像の表示を禁止し、タイマをスタートし、カメラで自画像を撮影した顔認証時撮影画像と格納された顔認証画像データを照合し、一致する場合にセキュリティの対象となる機能を起動し、機能の起動後に、タイマが一定時間経過した場合にカメラで自画像を再撮影した顔認証時撮影画像とメモリに格納された顔認証画像データを再照合し一致する場合にセキュリティの対象となる機能の起動を継続するという動作を繰り返すようにしたので、顔認証機能の画面遷移の煩わしさを回避でき、使用者に気づかれないようにカメラの起動をするので顔認証機能を起動するタイミングが周知されないようにでき、予め顔認証用に撮影したデータと機能起動時、一定時間経過時に撮影されたデータについてその都度認証照合を行うため、認証が成功した後携帯端末装置の放置による別の人物の操作を不可能にでき、第三者の使用が困難となり、精度の高い顔認証機能を提供することが可能となるという効果がある。
【００１８】
また、ユーザよりセキュリティ対象とする機能、カメラによる顔認証のため撮影間隔を任意に設定可能とすることにより、より機密性の高い携帯端末装置の提供が可能となる。
【発明を実施するための最良の形態】
【００１９】
以下、本発明の実施の形態について図面を参照して説明する。
図１は本発明に係る携帯端末装置の概略構成を示すブロック図である。本図に示すように、携帯端末装置１１１にはＣＰＵ（中央演算処理装置）１１２を搭載しており、ＣＰＵ１１２はバス１１３を介して携帯端末装置１１１内の各部と接続されている。
なお、携帯端末装置１１１はマルチアプリケーション機能を有し、アプリケーションを表タスク又は裏タスクとして起動することが可能である。
【００２０】
バス１１３にはＲＯＭ（リード・オンリ・メモリ）１１４が接続され、ＲＯＭ１１４はＣＰＵ１１２を実行するための各種の制御プログラム、各種表示データなどの固定的データを格納し、特に、本発明で顔認証判断を行う顔認証エンジン１１５を有する。
さらに、バス１１３にはＲＡＭ（ランダム・アクセス・メモリ）１１６が接続され、ＲＡＭ１１６はＣＰＵ１１２がプログラムを実行する上で一時的に必要とされるデータを格納し、本発明では、予め用意する顔認証用画像データ１１７、顔認証を行う都度に撮影する顔認証時撮影画像１１８が格納される。
【００２１】
さらに、バス１１３には無線部１１９が接続され、無線部１１９は無線電波の送受信を行う。
さらに、バス１１３には制御部１２０が接続され、制御部１２０は音声処理、通信制御、メモリ管理などを含む携帯端末装置１１１全体の制御を行い、本発明では、顔認証制御部１２０Ａを有する。
【００２２】
顔認証制御部１２０Ａは携帯端末装置１１１の機能のセキュリティを確保するために、セキュリティの対象となる機能を起動する際に使用者に気づかれずにカメラを起動して顔認証を可能にする制御を行う。
制御部１２０にはカメラモジュール１２１及び表示部１２２が接続され、カメラモジュール１２１は携帯端末装置１１１の内側に位置し、通常時には自画像を撮影し、顔認証時には裏タスクにて自動的に起動され自画像を撮影する。
【００２３】
表示部１２２はＬＣＤで構成され、通常使用時には機能表示、データ等のディスプレイ表示を行う。
さらに、バス１１３には入力部１２３が表示され、入力部１２３は各種キー１２４からのキー入力を検知する回路である。
さらに、バス１１３にはタイマ１２５が接続され、タイマ１２５は、携帯端末装置１１１での時間測定に使用されるが、特に、本発明では、顔認証を一定時間毎に行うが、その場合の時間測定に使用される。
【００２４】
以下に、セキュリティ対象とした機能Ａを起動した場合の顔認証機能の動作について擬態的な遷移を説明する。
図２は図１における携帯端末装置の制御部１２０の顔認証制御部１２０Ａの一連の制御動作例を説明するフローチャートである。ステップＳ２０１において、顔認証制御部１２０Ａでは、入力部１２３からセキュリティ対象とした機能Ａの選択を検知する。
【００２５】
ここで、セキュリティ対象として機能Ａとして、例えば、電話帳、メール等を含む携帯端末装置１１１のＰＩＭ（個人情報管理）データの表示機能がロックの対象となる。ＰＩＭデータに関わらないもの、例えば、セキュリティとは関係のない機能であるミュージック、ムービーの再生、録音、録画等はロックの対象外とする。
セキュリティ対象とする機能は個別に設定することで精度の高いセキュリティ機能が可能となる。
【００２６】
ステップＳ２０２において、機能Ａの起動前に、顔認証制御部１２０Ａでは、ＲＯＭ１１４に保存されている顔認証エンジン１１５を裏タスクとして起動し、まず、カメラモジュール１２１に対して撮影画像を表示部１２２に表示することを禁止する。
ステップＳ２０３において、顔認証制御部１２０Ａでは、顔認証エンジン１１５の起動に対してユーザの認証を行うための機能遷移を画面に表示することを禁止する。
【００２７】
ステップＳ２０４において、顔認証機能起動時の前提条件として顔認証データ照合時に使用する顔画像を予め携帯端末装置１１１内の内側カメラであるカメラモジュール１２１にて撮影して顔認証用画像データ１１７としてＲＡＭ１１６に保存されているものとする。
顔認証制御部１２０Ａでは、使用者には視覚的に見えない裏タスクにて顔認証用のカメラモジュール１２１が起動され、携帯端末装置１１１を操作している使用者の顔写真撮影を行う。このとき、使用者にとっての携帯端末装置１１１の表示部１２２には起動しているカメラモジュール１２１によるファインダー表示等の情報表示は行われない。
【００２８】
ステップＳ２０５において、顔認証制御部１２０Ａでは、顔認証エンジン１１５にてステップＳ２０４で撮影したユーザの撮影顔写真の画像と、予め撮影してある顔認証用画像データ１１７を比較し、照合する。
ステップＳ２０６において、ユーザの画像の照合での一致判定によりユーザが一致したかを判定する。不一致の判定の場合にはステップＳ２１１に進む。
【００２９】
ステップＳ２０７において、顔認証制御部１２０Ａでは、一致の判定の場合には、機能Ａが起動されているかを判定する。起動されている場合にはステップＳ２０９に進み、起動が終了するまで起動の継続を行う。
ステップＳ２０８において、顔認証制御部１２０Ａでは、起動されていない場合には機能Ａを起動する。
【００３０】
ステップＳ２０９において、顔認証制御部１２０Ａでは、機能Ａの終了の判定を行い、終了の判定の場合には処理を終了する。
ステップＳ２１０において、顔認証制御部１２０Ａでは、未終了の判定の場合には、タイマ１２５を用いて、機能Ａの起動から一定時間を経過したかを判定する。一定時間を経過した場合にはステップＳ２０４に戻り、上記処理を繰り返し、継続的に使用者のチェックを行う。すなわち、顔認証が成功し機能Ａの使用が可能となっても、一定間隔で再度カメラモジュール１２１の顔撮影により顔認証を行い続ける。換言すれば、認証が一度成功して携帯端末装置１１１を放置しても、別の人物が操作することが不可能となる。これにより、顔認証成功後の操作においてもユーザプライバシーを守り、安全性が高くなる。
【００３１】
なお、この一定時間は任意に設定可能とする。これにより、より機密性の高い携帯端末装置１１１の提供が可能となる。
顔認証制御部１２０Ａでは、一定時間を経過していない場合にはステップＳ２０７に戻る。
ステップＳ２１１において、顔認証制御部１２０Ａでは、使用者に対して「ロック中のため起動できません」旨の通知の表示を行い、処理を終了する。この場合、機能Ａは起動されない。なお、この表示は撮影の表示ではなく通知に必要であるので可能とする。
【００３２】
したがって、本発明によれば、顔認証機能の画面遷移の煩わしさを回避でき、使用者に気づかれないようにカメラの起動をするので顔認証機能を起動するタイミングが周知されないようにでき、予め顔認証用に撮影したデータと機能起動時、一定時間経過時に撮影されたデータについてその都度認証照合を行うため、認証が成功した後携帯端末装置の放置による別の人物の操作を不可能にでき、第三者の使用が困難となり、精度の高い顔認証機能を提供することが可能となるという効果がある。
【００３３】
また、ユーザよりセキュリティ対象とする機能、カメラによる顔認証のため撮影間隔を任意に設定可能とすることにより、より機密性の高い携帯端末装置１１１の提供が可能となる。
【実施例１】
【００３４】
図１のカメラモジュール１２１が動画の撮影が可能である場合には、顔認証用画像データ１１７には予め使用者の動画を登録しておき、カメラモジュール１２１により動画を撮影することにより、動画で使用者の認証を行う。動画の例としては、「顔の鼻を手で摘む」動作、「顔の耳を手で触る」動作、「頭を三回掻く」動作等がある。これにより、多角的観点により、使用者を限定することができ、前述と同様な作用、効果を得ることが可能となる。
【産業上の利用可能性】
【００３５】
以上の説明では、携帯端末装置でカメラ機能を使用することにより顔認証機能の説明を行ったが、これに限らず、携帯電話機、ＰＨＳ、ＰＤＡ、パーソナルコンピュータ（ＰＣ）、車等を含み、カメラ機能と、顔認証によるセキュリティ機能を持つ装置に本発明の利用が可能である。
【図面の簡単な説明】
【００３６】
【図１】本発明に係る携帯端末装置の概略構成を示すブロック図である。
【図２】図１における携帯端末装置の制御部１２０の顔認証制御部１２０Ａの一連の制御動作例を説明するフローチャートである。
【符号の説明】
【００３７】
１１１…携帯端末装置
１１２…ＣＰＵ
１１３…バス
１１４…ＲＯＭ
１１５…顔認証エンジン
１１６…ＲＡＭ
１１７…顔認証用画像データ
１１８…顔認証時撮影画像
１１９…無線部
１２０…制御部
１２０Ａ…顔認証制御部
１２１…カメラモジュール
１２２…表示部
１２３…入力部
１２４…キー
【図１】
2009223651.tif 000003
【図２】
2009223651.tif 000004